(57)【要約】【課題】地紋画像の解析・作成を一因とする文書処理の時間を短縮する文書処理装置および文書処理プログラムを提供することを目的とする。【解決手段】送信先装置が地紋画像の処理機能を有している場合は、文書処理装置は文書をそのまま送信先装置に送信する。また、送信先装置が地紋画像の処理機能を有していない場合は、文書処理装置は地紋画像を合成した文書画像から構成される文書を作成し、作成した文書を送信先装置に送信する。【選択図】図３
2009152651.tif 000002
【特許請求の範囲】
【請求項１】
地紋画像を作成するための地紋情報を含む文書を記憶する文書記憶手段と、
前記地紋情報から地紋画像を作成する地紋画像作成手段と、
前記地紋画像作成手段で作成した地紋画像を前記文書に合成する地紋画像合成手段と、
通信手段を介して接続する装置が前記地紋画像を処理することが可能な場合、前記文書を該装置に対して送信する第１の処理手段と、
前記通信手段を介して接続する装置が前記地紋画像を処理することが不可能な場合、前記文書に含まれる地紋情報から地紋画像を前記地紋画像作成手段で作成し、該作成した地紋画像を該文書に前記地紋画像合成手段で合成し、該合成した文書を該装置に対して送信する第２の処理手段と
を具備することを特徴とする文書処理装置。
【請求項２】
前記文書に合成されている地紋画像から地紋情報を解析する地紋情報解析手段と、
前記装置に対して地紋画像が合成されている文書を送信する際に前記確認手段で地紋画像の処理が不可能な装置と確認した場合、該文書に合成されている地紋画像から地紋情報を前記地紋情報解析手段で解析し、該解析した地紋情報と該文書に含まれる地紋情報とから地紋画像を前記地紋画像作成手段で作成し、該作成した地紋画像を該文書に前記地紋画像合成手段で合成し、該合成した文書を該装置に対して送信する第３の処理手段と
を更に具備することを特徴とする請求項１記載の文書処理装置。
【請求項３】
記憶装置に記憶している文書に含まれる地紋画像を作成するための地紋情報から地紋画像を作成する地紋画像作成処理と、
前記作成した地紋画像を前記文書に合成する地紋画像合成処理と、
通信手段を介して接続する装置が地紋画像を処理することが可能な場合、前記文書を該装置に対して送信する第１の処理と、
前記通信手段を介して接続する装置が前記地紋画像を処理することが不可能な場合、前記文書に含まれる地紋情報から地紋画像を作成し、該作成した地紋画像を該文書に合成し、該合成した文書を該装置に対して送信する第２の処理と
をコンピュータに実行させることを特徴とする文書処理プログラム。
【発明の詳細な説明】
【技術分野】
【０００１】
本発明は、文書処理装置および文書処理プログラムに関する。
【背景技術】
【０００２】
近年、文書のセキュリティに関する意識の高まりから、プリンタ等の画像形成装置で形成する印刷結果に複写牽制模様（以後、地紋画像と称する）を付加する技術が開示されている。
【０００３】
例えば、出力画像に画像形成に関与した全機器の情報を埋め込んでいく画像複写装置及びその制御方法、及び記録媒体がある（例えば、特許文献１参照。）。
【０００４】
また、例えば、電子透かし情報を埋め込んだ印刷文書の元の印字データは残して、電子透かしに別のデジタル情報を追加したり変更したりする電子透かし入り文書取扱装置及び電子透かし入り文書取扱方法がある（例えば、特許文献２参照。）。
【０００５】
また、例えば、電子透かし情報の解析はコピー時間を増大させる一因になるので、転送先にカラー機器がなければ、画像解析抜きで転送する画像処理装置およびシステム、並びに、それらの制御方法がある（例えば、特許文献３参照。）。
【０００６】
また、例えば、刷手段に関する所定の情報を取得し、電子ファイルに背景パターンを合成できるか否かを判断する画像処理装置、画像処置方法、及び画像処理プログラムがある（例えば、特許文献４参照。）。
【特許文献１】特開２０００−２５３２３３号公報
【特許文献２】特開２００６−１５７２２９号公報
【特許文献３】特開２００１−２１７９６５号公報
【特許文献４】特開２００４−１１２６０６号公報
【発明の開示】
【発明が解決しようとする課題】
【０００７】
本発明は、地紋画像の解析・作成を一因とする文書処理の時間を短縮する文書処理装置および文書処理プログラムを提供することを目的とする。
【課題を解決するための手段】
【０００８】
上記目的を達成するため、請求項１の発明は、地紋画像を作成するための地紋情報を含む文書を記憶する文書記憶手段と、前記地紋情報から地紋画像を作成する地紋画像作成手段と、前記地紋画像作成手段で作成した地紋画像を前記文書に合成する地紋画像合成手段と、通信手段を介して接続する装置が前記地紋画像を処理することが可能な場合、前記文書を該装置に対して送信する第１の処理手段と、前記通信手段を介して接続する装置が前記地紋画像を処理することが不可能な場合、前記文書に含まれる地紋情報から地紋画像を前記地紋画像作成手段で作成し、該作成した地紋画像を該文書に前記地紋画像合成手段で合成し、該合成した文書を該装置に対して送信する第２の処理手段とを具備することを特徴とする。
【０００９】
また、請求項２の発明は、請求項１の発明において、前記文書に合成されている地紋画像から地紋情報を解析する地紋情報解析手段と、前記装置に対して地紋画像が合成されている文書を送信する際に前記確認手段で地紋画像の処理が不可能な装置と確認した場合、該文書に合成されている地紋画像から地紋情報を前記地紋情報解析手段で解析し、該解析した地紋情報と該文書に含まれる地紋情報とから地紋画像を前記地紋画像作成手段で作成し、該作成した地紋画像を該文書に前記地紋画像合成手段で合成し、該合成した文書を該装置に対して送信する第３の処理手段とを更に具備することを特徴とする。
【００１０】
また、請求項３の発明は、記憶装置に記憶している文書に含まれる地紋画像を作成するための地紋情報から地紋画像を作成する地紋画像作成処理と、前記作成した地紋画像を前記文書に合成する地紋画像合成処理と、通信手段を介して接続する装置が地紋画像を処理することが可能な場合、前記文書を該装置に対して送信する第１の処理と、前記通信手段を介して接続する装置が前記地紋画像を処理することが不可能な場合、前記文書に含まれる地紋情報から地紋画像を作成し、該作成した地紋画像を該文書に合成し、該合成した文書を該装置に対して送信する第２の処理とをコンピュータに実行させることを特徴とする。
【発明の効果】
【００１１】
請求項に１および３記載の発明は、地紋画像の作成を一因とする文書処理の時間を短縮することが可能となる。
【００１２】
また、請求項に２記載の発明は、地紋画像の解析が不可能な装置に文書を送信することが可能となる。
【発明を実施するための最良の形態】
【００１３】
以下、本発明に係る文書処理装置および文書処理プログラムの実施の形態について添付図面を参照して詳細に説明する。
【００１４】
図１は、本発明に係る文書処理装置１を含む文書処理システム２の全体構成の一例を示す図である。
【００１５】
図１に示すように、文書処理システム２は、ユーザが扱うパーソナルコンピュータ等である１または複数の情報処理装置３と、原稿を読み取って文書を生成する１または複数のスキャナ４と、本発明に係る文書処理装置１である文書処理装置Ａ１０１と、その他の文書処理装置である文書処理装置Ｂ１０２と、データをプリント処理する１または複数のプリンタ５とを具備して構成され、それぞれの装置はＬＡＮ［Local Area Network］等のネットワーク６を介して接続されている。なお、文書処理装置Ｂ１０２も本発明に係る文書処理装置１であっても良い。
【００１６】
文書処理システム２の運用例としては、情報処理装置３で作成した文書は「文書処理装置Ａ１０１→文書処理装置Ｂ１０２→プリンタ５」の順で転送され、各文書処理装置で文書処理が施され、最終的にプリンタ５で印刷される。なお、転送される順序は「文書処理装置Ｂ１０２→文書処理装置Ａ１０１→プリンタ５」でも良いし、また、「文書処理装置Ａ１０１→プリンタ５」、「文書処理装置Ｂ１０２→プリンタ５」でも良い。
【００１７】
また、文書処理システム２の他の運用例としては、スキャナ４で読み取った文書は「文書処理装置Ａ１０１→文書処理装置Ｂ１０２→プリンタ５」の順で転送され、各文書処理装置で文書処理が施され、最終的にプリンタ５で印刷される。なお、転送される順序は「文書処理装置Ｂ１０２→文書処理装置Ａ１０１→プリンタ５」でも良いし、また、「文書処理装置Ａ１０１→プリンタ５」、「文書処理装置Ｂ１０２→プリンタ５」でも良い。
【００１８】
次に、文書処理装置１で取り扱う文書について説明する。
【００１９】
図２は、文書の構造の一例を示す図である。
【００２０】
図２（ａ）に示す文書は、文書本体のイメージである文書画像と、文書画像に付加されている属性と、プリントされる際に文書画像に対して地紋画像を合成するための地紋情報とから構成されている。
【００２１】
図２（ｂ）に示す文書は、地紋画像が合成された文書画像と、属性とから構成されている。
【００２２】
図２（ｃ）に示す文書は、地紋画像が合成された文書画像と、属性と、地紋情報とから構成されている。
【００２３】
次に、文書処理装置１の機能的な構成について説明する。
【００２４】
図３は、文書処理装置１の機能的な構成の一例を示す図である。
【００２５】
図３に示すように、文書処理装置１は、文書受信部７、文書記憶部８、地紋情報解析部９、地紋画像作成部１０、装置情報確認部１１、文書処理部１２、文書送信部１３、通信部１４を具備して構成される。
【００２６】
文書受信部７は、情報処理装置３、スキャナ４または他の文書処理装置からネットワーク６を経由して送信されてきた文書を受信する処理を行う。
【００２７】
文書記憶部８は、文書受信部７で受信した文書を記憶する領域である。
【００２８】
地紋情報解析部９は、文書画像に合成された地紋画像から元となる地紋情報を解析する処理を行う。以後、地紋情報解析部９が有する機能を地紋画像解析機能と称する。
【００２９】
地紋画像作成部１０は、文書の属性として付加された地紋情報から地紋画像を作成し、作成した地紋画像を文書画像に合成する処理を行う。以後、地紋画像作成部１０が有する機能を地紋画像作成機能と称する。なお、地紋画像解析機能と地紋画像作成機能とを総称して地紋処理機能と称する。
【００３０】
装置情報確認部１１は、文書を送信する送信先装置の地紋処理機能の有無に関する装置情報を確認する処理を行う。なお、各送信先装置毎に装置情報を記憶領域に記憶することも可能である。
【００３１】
文書処理部１２は、装置情報確認部１１で確認した送信先装置の装置情報に応じて、文書の処理を行う。文書処理部１２で行う処理については、後述にて説明する。
【００３２】
文書送信部１３は、文書処理部１２で処理した文書を送信先装置に対して送信する処理を行う。
【００３３】
通信部１４は、ネットワーク６を経由して情報処理装置３、スキャナ４、他の文書処理装置、プリンタ５と通信を行うためのインターフェースである。
【００３４】
なお、上述した印刷データ文書受信部７、地紋情報解析部９、地紋画像作成部１０、装置情報確認部１１、文書処理部１２、文書送信部１３を機能として具備する文書処理プログラムを汎用のコンピュータまたはサーバに組み込んだ構成を適用することも可能である。その際には、コンピュータまたはサーバの記憶部に文書処理プログラムが記憶され、コンピュータまたはサーバのＣＰＵが記憶部に記憶されている文書処理プログラムを実行することになる。また、文書処理プログラムは、例えば、各種メモリ、光ディスク等の記憶媒体に記憶して提供することが可能であり、例えば、ネットワーク等の通信回線を介して配信することも可能である。
【００３５】
次に、文書処理部１２で行う文書の処理について説明する。
【００３６】
図４は、文書処理部１２で行う文書の処理の一例を示す図である。
【００３７】
図４（ａ）に示すように、文書処理装置Ａ１０１は情報処理装置３（または、スキャナ４、他の文書処理装置）から送信されてきた文書を受信し、受信した文書を地紋処理機能ありのプリンタ５１に送信する。文書処理装置Ａ１０１の文書処理部１２は文書をプリンタ５１に送信する際に、後述する文書の処理を行う。
【００３８】
図４（ｂ）に示すように、文書処理装置Ａ１０１が文書画像、属性、地紋情報から構成される文書を受信した場合、文書の送信先は地紋処理機能ありのプリンタ５１であることから、文書処理部１２は属性に地紋情報を追加し、文書画像、地紋情報を含む属性から構成される文書を作成し、作成した文書をプリンタ５１に送信する。
【００３９】
図４（ｃ）に示すように、文書処理装置Ａ１０１が地紋画像が合成された文書画像、属性から構成される文書を受信した場合、文書の送信先は地紋処理機能ありのプリンタ５１であることから、文書をそのままプリンタ５１に送信する。
【００４０】
図４（ｄ）に示すように、文書処理装置Ａ１０１が地紋画像が合成された文書画像、属性、地紋情報から構成される文書を受信した場合、文書の送信先は地紋処理機能ありのプリンタ５１であることから、文書処理部１２は属性に地紋情報を追加し、地紋画像が合成された文書画像、地紋情報を含む属性から構成される文書を作成し、作成した文書をプリンタ５１に送信する。
【００４１】
図５は、文書処理部１２で行う文書の処理の一例を示す図である。
【００４２】
図５（ａ）に示すように、文書処理装置Ａ１０１は情報処理装置３（または、スキャナ４、他の文書処理装置）から送信されてきた文書を受信し、受信した文書を地紋処理機能なしのプリンタ５２に送信する。文書処理装置Ａ１０１の文書処理部１２は文書をプリンタ５２に送信する際に、後述する文書の処理を行う。
【００４３】
図５（ｂ）に示すように、文書処理装置Ａ１０１が文書画像、属性、地紋情報から構成される文書を受信した場合、文書の送信先は地紋処理機能なしのプリンタ５２であることから、地紋画像作成部１０は地紋情報から地紋画像を作成して文書画像に合成し、文書処理部１２は地紋画像が合成された文書画像、属性から構成される文書を作成し、作成した文書をプリンタ５２に送信する。
【００４４】
図５（ｃ）に示すように、文書処理装置Ａ１０１が地紋画像が合成された文書画像、属性から構成される文書を受信した場合、文書の送信先は地紋処理機能なしのプリンタ５２であることから、文書をそのままプリンタ５２に送信する。
【００４５】
図５（ｄ）に示すように、文書処理装置Ａ１０１が地紋画像が合成された文書画像、属性、地紋情報から構成される文書を受信した場合、文書の送信先は地紋処理機能なしのプリンタ５２であることから、地紋情報解析部９は地紋画像から元となる地紋情報を解析し、地紋画像作成部１０は地紋情報解析部９で解析した地紋情報と文書の地紋情報とから地紋画像（以後、地紋画像’と称する）を作成して文書画像に合成し、文書処理部１２は地紋画像’が合成された文書画像、属性から構成される文書を作成し、作成した文書をプリンタ５２に送信する。
【００４６】
図６は、文書処理部１２で行う文書の処理の一例を示す図である。
【００４７】
図６（ａ）に示すように、文書処理装置Ａ１０１は情報処理装置３（または、スキャナ４、他の文書処理装置）から送信されてきた文書を受信し、受信した文書を地紋処理機能ありの文書処理装置Ｂ１０２１に送信する。文書処理装置Ａ１０１の文書処理部１２は文書を文書処理装置Ｂ１０２１に送信する際に、後述する文書の処理を行う。
【００４８】
図６（ｂ）に示すように、文書処理装置Ａ１０１が文書画像、属性、地紋情報から構成される文書を受信した場合、文書の送信先は地紋処理機能ありの文書処理装置Ｂ１０２１であることから、文書をそのまま文書処理装置Ｂ１０２１に送信する。
【００４９】
図６（ｃ）に示すように、文書処理装置Ａ１０１が地紋画像が合成された文書画像、属性から構成される文書を受信した場合、文書の送信先は地紋処理機能ありの文書処理装置Ｂ１０２１であることから、文書をそのまま文書処理装置Ｂ１０２１に送信する。
【００５０】
図６（ｄ）に示すように、文書処理装置Ａ１０１が地紋画像が合成された文書画像、属性、地紋情報から構成される文書を受信した場合、文書の送信先は地紋処理機能ありの文書処理装置Ｂ１０２１であることから、文書をそのまま文書処理装置Ｂ１０２１に送信する。
【００５１】
図７は、文書処理部１２で行う文書の処理の一例を示す図である。
【００５２】
図７（ａ）に示すように、文書処理装置Ａ１０１は情報処理装置３（または、スキャナ４、他の文書処理装置）から送信されてきた文書を受信し、受信した文書を地紋処理機能なしの文書処理装置Ｂ１０２２に送信する。文書処理装置Ａ１０２の文書処理部１２は文書を文書処理装置Ｂ１０２２に送信する際に、後述する文書の処理を行う。
【００５３】
図７（ｂ）に示すように、文書処理装置Ａ１０１が文書画像、属性、地紋情報から構成される文書を受信した場合、文書の送信先は地紋処理機能なしの文書処理装置Ｂ１０２２であることから、地紋画像作成部１０は地紋情報から地紋画像を作成して文書画像に合成し、文書処理部１２は地紋画像が合成された文書画像、属性から構成される文書を作成し、作成した文書を文書処理装置Ｂ１０２２に送信する。
【００５４】
図７（ｃ）に示すように、文書処理装置Ａ１０１が地紋画像が合成された文書画像、属性から構成される文書を受信した場合、文書の送信先は地紋処理機能なしの文書処理装置Ｂ１０２２であることから、文書をそのまま文書処理装置Ｂ１０２１に送信する。
【００５５】
図７（ｄ）に示すように、文書処理装置Ａ１０１が地紋画像が合成された文書画像、属性、地紋情報から構成される文書を受信した場合、文書の送信先は地紋処理機能なしの文書処理装置Ｂ１０２２であることから、地紋情報解析部９は地紋画像から元となる地紋情報を解析し、地紋画像作成部１０は地紋情報解析部９で解析した地紋情報と文書の地紋情報とから地紋画像（以後、地紋画像’と称する）を作成して文書画像に合成し、文書処理部１２は地紋画像’が合成された文書画像、属性から構成される文書を作成し、作成した文書を文書処理装置Ｂ１０２２に送信する。
【００５６】
次に、文書処理装置１で行われる処理の流れの一例について図８に示すフローチャートを参照して説明する。
【００５７】
装置情報確認部が文書を送信する送信先装置における地紋処理機能の有無を確認し（Ｓ８０１）、地紋処理機能がある場合（Ｓ８０１でＹＥＳ）、Ｓ８０２に進み、また、地紋処理機能がない場合（Ｓ８０１でＮＯ）、Ｓ８０５に進む。
【００５８】
地紋処理機能がある場合（Ｓ８０１でＹＥＳ）、装置情報確認部は送信先装置がプリンタであるか否か確認し（Ｓ８０２）、プリンタである場合（Ｓ８０２でＹＥＳ）、Ｓ８０３に進み、また、プリンタではない場合（Ｓ８０２でＮＯ）、Ｓ８０４に進む。
【００５９】
プリンタである場合（Ｓ８０２でＹＥＳ）、文書処理部は属性に地紋情報を追加し（Ｓ８０３）、Ｓ８０４に進む。
【００６０】
そして、文書送信部は文書を送信し（Ｓ８０４）、処理手順を終了する。
【００６１】
また、Ｓ８０１において、地紋処理機能がない場合（Ｓ８０１でＮＯ）、文書画像に地紋画像が合成されているか否か確認し（Ｓ８０５）、文書画像に地紋画像が合成されていない場合（Ｓ８０５でＮＯ）、Ｓ８０６に進み、また、文書画像に地紋画像が合成されている場合（Ｓ８０５でＹＥＳ）、Ｓ８０８に進む。
【００６２】
文書画像に地紋画像が合成されていない場合（Ｓ８０５でＮＯ）、地紋画像作成部は地紋情報から地紋画像を作成し（Ｓ８０６）、作成した地紋画像を文書画像に合成し（Ｓ８０７）、文書送信部は文書を送信し（Ｓ８０４）、処理手順を終了する。
【００６３】
文書画像に地紋画像が合成されている場合（Ｓ８０５でＹＥＳ）、文書に地紋情報があるかないか確認し（Ｓ８０８）、地紋情報がある場合（Ｓ８０８でＹＥＳ）、Ｓ８０９に進み、また、地紋情報がない場合（Ｓ８０８でＮＯ）、Ｓ８０４に進む。
【００６４】
地紋情報がある場合（Ｓ８０８でＹＥＳ）、地紋情報解析部は地紋画像から元となる地紋情報を解析し（Ｓ８０９）、地紋画像作成部は解析した地紋情報と文書の地紋情報とから地紋画像’を作成し（Ｓ８１０）、作成した地紋画像’を文書画像に合成し（Ｓ８１１）、Ｓ８０４に進む。
【００６５】
そして、文書送信部は文書を送信し（Ｓ８０４）、処理手順を終了する。
【００６６】
なお、送信先装置に地紋処理機能がない場合はエラーメッセージ等を通知し、文書処理を停止することで、地紋処理機能を有する装置のみで文書処理システムを安全に運用しても良い。
【００６７】
図９は、文書処理部１２で行う文書の処理の一例を示す図である。
【００６８】
図９（ａ）に示すように、文書処理装置Ａ１０１は情報処理装置３（または、スキャナ４、他の文書処理装置）から送信されてきた文書を受信し、受信した文書を地紋画像解釈機能なし・地紋画像作成機能ありのプリンタ５３または地紋画像解釈機能なし・地紋画像作成機能ありの文書処理装置Ｂ１０２３に送信する。文書処理装置Ａ１０１の文書処理部１２は文書をプリンタ５３または文書処理装置Ｂ１０２３に送信する際に、後述する文書の処理を行う。
【００６９】
図９（ｂ）に示すように、文書処理装置Ａ１０１が文書画像、属性、地紋情報から構成される文書を受信した場合、文書の送信先は地紋画像解釈機能なし・地紋画像作成機能ありのプリンタ５３または地紋画像解釈機能なし・地紋画像作成機能ありの文書処理装置Ｂ１０２３であることから、文書処理部１２は属性に地紋情報を追加し、文書画像、地紋情報を含む属性から構成される文書を作成し、作成した文書をプリンタ５３または文書処理装置Ｂ１０２３に送信する。
【００７０】
図９（ｃ）に示すように、文書処理装置Ａ１０１が文書画像、地紋情報を含む属性から構成される文書を受信した場合、文書の送信先は地紋画像解釈機能なし・地紋画像作成機能ありのプリンタ５３または地紋画像解釈機能なし・地紋画像作成機能ありの文書処理装置Ｂ１０２３であることから、文書をそのままプリンタ５３または文書処理装置Ｂ１０２３に送信する。
【００７１】
図９（ｄ）に示すように、文書処理装置Ａ１０１が地紋画像が合成された文書画像、属性から構成される文書を受信した場合、文書の送信先は地紋画像解釈機能なし・地紋画像作成機能ありのプリンタ５３または地紋画像解釈機能なし・地紋画像作成機能ありの文書処理装置Ｂ１０２３であることから、文書をそのままプリンタ５３または文書処理装置Ｂ１０２３に送信する。
【００７２】
図９（ｅ）に示すように、文書処理装置Ａ１０１が地紋画像が合成された文書画像、属性、地紋情報から構成される文書を受信した場合、文書の送信先は文書の送信先は地紋画像解釈機能なし・地紋画像作成機能ありのプリンタ５３または地紋画像解釈機能なし・地紋画像作成機能ありの文書処理装置Ｂ１０２３であることから、地紋情報解析部９は地紋画像から元となる地紋情報を解析し、地紋画像作成部１０は地紋情報解析部９で解析した地紋情報と文書の地紋情報とから地紋画像（以後、地紋画像’と称する）を作成して文書画像に合成し、文書処理部１２は地紋画像’が合成された文書画像、属性から構成される文書を作成し、作成した文書をプリンタ５３または文書処理装置Ｂ１０２３に送信する。
【００７３】
次に、文書処理装置で行われる処理の流れの一例について図１０に示すフローチャートを参照して説明する。
【００７４】
装置情報確認部が文書を送信する送信先装置における地紋処理機能の有無を確認し（Ｓ１００１）、地紋処理機能がある場合（Ｓ１００１でＹＥＳ）、Ｓ１００２に進み、また、地紋処理機能がない場合（Ｓ１００１でＮＯ）、Ｓ１００５に進む。
【００７５】
地紋処理機能がある場合（Ｓ１００１でＹＥＳ）、装置情報確認部は送信先装置がプリンタであるか否か確認し（Ｓ１００２）、プリンタである場合（Ｓ１００２でＹＥＳ）、Ｓ１００３に進み、また、プリンタではない場合（Ｓ１００２でＮＯ）、Ｓ１００４に進む。
【００７６】
プリンタである場合（Ｓ１００２でＹＥＳ）、文書処理部は属性に地紋情報を追加し（Ｓ１００３）、Ｓ１００４に進む。
【００７７】
そして、文書送信部は文書を送信し（Ｓ１００４）、処理手順を終了する。
【００７８】
また、Ｓ１００１において、地紋処理機能がない場合（Ｓ１００１でＮＯ）、装置情報確認部は送信先装置における地紋画像作成機能の有無を確認し（Ｓ１００５）、地紋画像作成機能がある場合（Ｓ１００５でＹＥＳ）、Ｓ１００３に進み、また、地紋画像作成機能がない場合（Ｓ１００５でＮＯ）、Ｓ１００６に進む。
【００７９】
地紋画像作成機能がある場合（Ｓ１００５でＹＥＳ）、文書処理部は属性に地紋情報を追加し（Ｓ１００３）、文書送信部は文書を送信し（Ｓ１００４）、処理手順を終了する。
【００８０】
地紋画像作成機能がない場合（Ｓ１００５でＮＯ）、文書画像に地紋画像が合成されているか否か確認し（Ｓ１００６）、文書画像に地紋画像が合成されていない場合（Ｓ１００６でＮＯ）、Ｓ１００７に進み、また、文書画像に地紋画像が合成されている場合（Ｓ１００６でＹＥＳ）、Ｓ１００９に進む。
【００８１】
文書画像に地紋画像が合成されていない場合（Ｓ１００６でＮＯ）、地紋画像作成部は地紋情報から地紋画像を作成し（Ｓ１００７）、作成した地紋画像を文書画像に合成し（Ｓ１００８）、文書送信部は文書を送信し（Ｓ１００４）、処理手順を終了する。
【００８２】
文書画像に地紋画像が合成されている場合（Ｓ１００６でＹＥＳ）、文書に地紋情報があるかないか確認し（Ｓ１００９）、地紋情報がある場合（Ｓ１００９でＹＥＳ）、Ｓ１０１０に進み、また、地紋情報がない場合（Ｓ１００９でＮＯ）、Ｓ１００４に進む。
【００８３】
地紋情報がある場合（Ｓ１００９でＹＥＳ）、地紋情報解析部は地紋画像から元となる地紋情報を解析し（Ｓ１０１０）、地紋画像作成部は解析した地紋情報と文書の地紋情報とから地紋画像’を作成し（Ｓ１０１１）、作成した地紋画像’を文書画像に合成し（Ｓ１０１２）、Ｓ１００４に進む。
【００８４】
そして、文書送信部は文書を送信し（Ｓ１００４）、処理手順を終了する。
【図面の簡単な説明】
【００８５】
【図１】本発明に係る文書処理装置を含む文書処理システムの全体構成の一例を示す図である。
【図２】文書の構造の一例を示す図である。
【図３】文書処理装置の機能的な構成の一例を示す図である。
【図４】文書処理部で行う文書の処理の一例を示す図である。
【図５】文書処理部で行う文書の処理の一例を示す図である。
【図６】文書処理部で行う文書の処理の一例を示す図である。
【図７】文書処理部で行う文書の処理の一例を示す図である。
【図８】文書処理装置で行われる処理の流れの一例を示すフローチャートである。
【図９】文書処理部で行う文書の処理の一例を示す図である。
【図１０】文書処理装置で行われる処理の流れの一例を示すフローチャートである。
【符号の説明】
【００８６】
１    文書処理装置
１０１    文書処理装置Ａ
１０２    文書処理装置Ｂ
１０２１    地紋処理機能ありの文書処理装置Ｂ
１０２２    地紋処理機能なしの文書処理装置Ｂ
１０２３    地紋画像解釈機能なし・地紋画像作成機能ありの文書処理装置Ｂ
２    文書処理システム
３    情報処理装置
４    スキャナ
５    プリンタ
５１    地紋処理機能ありのプリンタ
５２    地紋処理機能なしのプリンタ
５３    地紋画像解釈機能なし・地紋画像作成機能ありのプリンタ
６    ネットワーク
７    文書受信部
８    文書記憶部
９    地紋情報解析部
１０    地紋画像作成部
１１    装置情報確認部
１２    文書処理部
１３    文書送信部
１４    通信部
【図１】
2009152651.tif 000003
【図２】
2009152651.tif 000004
【図３】
2009152651.tif 000005
【図４】
2009152651.tif 000006
【図５】
2009152651.tif 000007
【図６】
2009152651.tif 000008
【図７】
2009152651.tif 000009
【図８】
2009152651.tif 000010
【図９】
2009152651.tif 000011
【図１０】
2009152651.tif 000012